(57)【特許請求の範囲】
【請求項１】
略方形となるように形成した枠体１・１を設け、この枠体１・１の内端部３・３を突合わせ、内端部３・３の下部を枠用軸４で軸着して、枠体１・１を水平状に展開した位置を維持できるように形成すると共に、枠体１・１を折り畳めるように形成し、前記枠体１・１の外側の隅部に、支持脚１９を脚用軸２０で軸着して、支持脚１９が枠体１より下方に延びた位置で、枠体１・１が、水平状の使用位置を維持できるように形成すると共に、支持脚１９を折り畳めるように形成し、前記枠体１の床状部分４２に便器３４を設け、この便器３４の排出口３５の下方に、汚物容器３６の口部３７を臨ませた簡易トイレ。
【請求項２】
内端部３・３の下部を枠用軸４で軸着した機構に代えて、内端部３・３を着脱可能に形成した機構とした請求項１記載の簡易トイレ。
【請求項３】
支持脚１９を脚用軸２０で軸着した機構に代えて、支持脚１９を着脱可能に設けた機構とした請求項１又は請求項２のいずれかに記載した簡易トイレ。
【発明の詳細な説明】
【０００１】
【産業上の利用分野】
本発明は、トイレを必要とする箇所に移動させて、組み立てることにより簡単に設置できる簡易トイレに関する。
【０００２】
【従来の技術】
本件発明者らは、さきに、必要とする箇所に移動させて、組み立てることにより設置できるトイレを考えた。
【０００３】
このトイレは、図７に示すように、トイレ用の床状部分４２を、床状部分４２の下面の４つの隅から垂下して設けた脚（図示してない）により支持させ、この床状部分４２上に便器３４を設置したものである。
【０００４】
そして、前記便器３４の下には、汚物収容容器（図示してない）を設置し、床状部分４２には支柱（図示してない）を立設し、この支柱で天板と幌５５を保持するようにしたトイレである。
【０００５】
【発明が解決しようとする課題】
前記トイレは、分解して移送することができ、そして、トイレを必要とするところで組み立てることにより、トイレを設置することができて便利である。
【０００６】
しかしながら、少ない部品数で組み立てられるように形成してあるので、分解した部品の包装体が大きくなるものである。
本発明は、前記事項に鑑みなされたものであり、分解して移送でき、必要とするとき容易に組み立てることのできる簡易トイレを、さらに、小形にできるようにすることを技術的課題とする。
【０００７】
【課題を解決するための手段】
第１の発明は、略方形となるように形成した枠体１・１を設け、この枠体１・１の内端部３・３を突合わせ、内端部３・３の下部を枠用軸４で軸着して、枠体１・１を水平状に展開した位置を維持できるように形成すると共に、枠体１・１を折り畳めるように形成し、前記枠体１・１の外側の隅部に、支持脚１９を脚用軸２０で軸着して、支持脚１９が枠体１より下方に延びた位置で、枠体１・１が、水平状の使用位置を維持できるように形成すると共に、支持脚１９を折り畳めるように形成し、前記枠体１の床状部分４２に便器３４を設け、この便器３４の排出口３５の下方に、汚物容器３６の口部３７を臨ませて簡易トイレとした。
【０００８】
第２の発明は、第１の発明において、内端部３・３の下部を枠用軸４で軸着した機構に代えて、内端部３・３を着脱可能に形成した機構として簡易トイレとした。
【０００９】
第３の発明は、第１の発明において、支持脚１９を脚用軸２０で軸着した機構に代えて、支持脚１９を着脱可能に設けた機構として簡易トイレとした。
第４の発明は、第２の発明において、支持脚１９を脚用軸２０で軸着した機構に代えて、支持脚１９を着脱可能に設けた機構として簡易トイレとした。
【００１０】
【作用】
第１の発明は、枠体１・１を折り畳むには、まず支持脚１９を脚用軸２０で回動して、支持脚１９を枠体１の下面に添わせて折り畳む。
【００１１】
次に、枠体１を枠用軸４で回動して、図３に示すように、枠体１・１を重ね合わせたように折り畳む。
そして、便器３４と汚物容器３６は、通常枠体１から取り外して、重ね合わせた枠体１・１の内側に収納する。
【００１２】
そして、枠体１・１を組み立てるには、まず図３に示すように折り畳まれている枠体１・１の下部を、左右に開いて、枠体１・１を水平状に展開する。
次に、支持脚１９を脚用軸２０で回動させて、展開した枠体１・１より、支持脚１９を下方に延ばす。
【００１３】
次に、枠体１の上に床状部分４２を敷設し、この床状部分４２に便器３４を設置し、この便器３４の排出口３５の下方に、汚物容器３６の口部３７を臨ませて、汚物容器３６を設置して簡易トイレを組み立てる。
【００１４】
以上の如く、本発明の簡易トイレは、保管や移送時に嵩張る部分である便器の保持手段である枠体１・１を、折り畳めるので、保管や移送がし易い。
第２の発明は、さらに、枠体１・１の内端部３・３を連結して、枠体１・１を水平状に展開した位置を維持させることができる。そして、内端部３・３を分離して、枠体１・１を折り畳む。
【００１５】
第３の発明、及び第４の発明は、さらに、支持脚１９を枠体１に連結して、枠体１・１を水平状の使用位置に維持し、支持脚１９を枠体１から取り外して、枠体１・１と支持脚１９を折り畳む。
【００１６】
【実施例】
以下図に基づいて本発明の実施例の説明をする。図１〜図３は本件第１の発明の一実施例の説明用の図である。
【００１７】
この実施例は、断面が４角形の鋼製の角管を、コ字形の略方形となるように一体に接続して形成し、２個の枠体１を設けている。
そして、前記枠体１は、コ字形の開放された先端部側を、内端部３とし、この内端部３をなすそれぞれの角管の両側部は、図２に示すように、下方に延びる内端延長部８に形成されている。
【００１８】
そして、前記２個の枠体１の両側の内端部３を、図１・図２に示すように突合わせ、この内端部３・３の下部を２個の枠用軸４で軸着している。
そして、前記枠体１・１は、図２に示すように、水平状に展開した位置で、内端部３・３の上部が突き当たって当接し、枠体１・１が水平状に展開した位置を維持できるように形成してある。
【００１９】
そして、前記枠体１・１は、水平状をなす位置から、枠体１・１の外端部を下方に回動して折り畳めるように形成してある。
そして、前記枠体１の内側には、枠用軸４と同一方向に、補強材２が数本（この実施例は４本）設けてある。そして、この補強材２は、角形管で形成してある。
【００２０】
そして、前記枠体１・１の外側の隅部には、隅延長部７が下方に延ばして設けてあり、この隅延長部７には、角管で形成した支持脚１９が脚用軸２０で、それぞれ、回動可能に軸着してある。
【００２１】
そして、前記枠体１と支持脚１９間には、回動軸２３により折曲げ可能に形成した脚引張り部材２２・２２が別の回動軸２３で軸着してあり、支持脚１９の必要以上の外方への回動を抑制している。そして、前記支持脚１９が枠体１より下方に延びた位置で、枠体１・１が水平状の使用位置を維持できるように形成してある。
【００２２】
また、前記支持脚１９が、下方に延びた使用位置から内側に回動して折り畳めるように形成してある。
そして、図２に示すように展開した枠体１・１の上面には、ベニヤ板で形成した床状部分４２が敷設してあり、この床状部分４２には、穴４３が設けてある。
【００２３】
そして、前記穴４３の部分に、ＡＢＳ樹脂製の便器３４を設置し、便器３４の排出口３５を、前記穴４３に挿入し、便器３４と一体に形成したＡＢＳ樹脂製の板体４４を、前記床状部分４２の上面に載せて便器３４を設置している。
【００２４】
そして、前記枠体１の補強材２の下方には、可撓性の合成樹脂で袋状に形成した汚物容器３６が、図示してない取付具によって取付けてあり、この汚物容器３６の口部３７は、前記便器３４の排出口３５の外周を覆うようにして、排出口３５の下方に臨ませて設置してある。
【００２５】
そして、前記汚物容器３６の側方には、汚物容器３６内の水分を外部に排出できる図示してないホースが接続されており、このホースの内端部には、図示してない固液分離器が接続されている。
【００２６】
さらに、前記枠体１・１の上面には、４箇所に支柱装着用孔５が設けてあり、この支柱装着用孔５に、支柱６を立設し、この支柱６の上部、及び周囲に、図示してない天板や幌を取付け、簡易トイレの上部と周囲を覆うように形成している。
【００２７】
そして、枠体１の側方には、ステップ支持体４９の先端部を引掛けてステップ４８を取付けるように形成してある。
前記実施例では、便器３４を枠用軸４と平行となる向きに設けているが、前記便器３４は枠用軸４の軸方向と交差する向きに設置することもできる。
【００２８】
そして、前記板体４４は、便器３４にバンドなどで締め付けて取付けることも可能であり、汚物容器３６の口部３７は、バンドなどにより便器３４の排出口３５に締め付けて取付けることも可能である。
【００２９】
そして、床状部分４２、及び板体４４は、二つ折、或は三つ折などに折り畳めるように形成することも可能である。
前記図１〜図３に示す実施例は、枠体１・１を折り畳むには、枠体１・１から便器３４と板体４４・床状部分４２、及びステップ４８などを取り外した状態で、脚引張り部材２２・２２を、中央部の回動軸２３で折曲げながら回動させると共に、支持脚１９を脚用軸２０で回動して、支持脚１９を枠体１の下面に添わせて折り畳む。
【００３０】
次に、枠体１を枠用軸４で回動して、図３に示すように、枠体１・１を重ね合わせたように二つ折にして折り畳む。
そして、汚物容器３６と板体４４は折り畳んで、前記折り畳んだ枠体１・１の内側に、便器３４と共に収納し、床状部分４２も折り畳むなどして枠体１・１と共に包装する。
【００３１】
枠体１・１を組み立てるには、図３に示すように折り畳まれている枠体１・１の下部を、左右に開いて、枠体１・１を水平状に展開する。
次に、支持脚１９を脚用軸２０で回動させて、展開した枠体１・１より支持脚１９を下方に延ばし、脚引張り部材２２・２２を伸長して支持脚１９を固定する。
【００３２】
次に、水平状に保持された枠体１・１の上に、ベニヤ板製の床状部分４２を敷き、この床状部分４２に設けた穴４３に便器３４の排出口３５を挿入し、便器３４と一体に形成した板体４４を、前記床状部分４２の上面に載せて便器３４を固定して設置する。
【００３３】
次に、前記枠体１・１の補強材２の下方に挿入した袋状の汚物容器３６を、図示してない取付具で、枠体１・１と補強材２に取付け、汚物容器３６の口部３７は、便器３４の排出口３５の外周を覆うようにして、排出口３５の下方に臨ませて設置する。
【００３４】
そして、汚物容器３６の口部３７を、便器３４の排出口３５に取付けた場合は、汚物容器３６を枠体１などに取付けないようにすることも可能である。
そして、前記便器３４の設けられていない側の床状部分４２は、便器３４の使用者が怪我などをしている場合に、使用者の介添人の立つところとなる。
【００３５】
図４・図５は、第２の発明の一実施例の要部の説明用の図である。以下さきの発明の実施例と同様の部分は同一の符号を用い説明を省略した。
この実施例は、一方の枠体１の両側部の内端部３に形成されている角形の孔に、角柱状に形成した連結用心棒の基端部１１を挿入して固着し、この連結用心棒の先端部１２を他方の枠体１の内端部３に形成されている角形の孔に、挿脱可能に密嵌したものである。
【００３６】
そして、前記一方の枠体１の内端部３の近くの側部に、掛金１３の基部を回動可能に軸着し、この掛金１３の先端を、他方の枠体１の内端部３の近くの側部に設けたピン１４に掛止できるように形成したものである。
【００３７】
そして、この実施例は、一方の枠体１に固着した連結用心棒の先端部１２を、他方の枠体１の孔に密嵌し、掛金１３をピン１４に掛止することにより、枠体１・１を連接し、前記掛金１３をピン１４から外し、前記連結用心棒の先端部１２を、他方の枠体１の内端部３の孔から抜き取ることにより、枠体１・１を分離し折り畳むことができるものである。
【００３８】
図６は、第３の発明と第４の発明の要部の説明用の図である。
この実施例は、枠体１の外側の隅部より、下方に延ばして形成した隅延長部７に、雌ねじ２８を設け、この雌ねじ２８に、支持脚１９の上端に設けた雄ねじ２９を螺嵌して、支持脚１９を着脱可能に設けたものである。
【００３９】
【発明の効果】
本発明は、枠体１・１の内端部３・３を突合わせて、内端部３・３の下部を枠用軸４で軸着して、枠体１・１を水平状に展開した位置を維持できるように形成すると共に、枠体１・１を折り畳めるように形成し、また、支持脚１９を脚用軸２０で軸着して、枠体１・１が水平状の使用位置を維持できるように形成すると共に、支持脚１９を折り畳めるように形成したものである。
【００４０】
したがって、簡易トイレの保管や移送時に、嵩張る部分である便器の保持手段である枠体を折り畳めるので、小形で保管や移送がし易い簡易トイレとすることができるものである。
【００４１】
枠体１・１の内端部３・３を着脱可能に形成した発明は、枠体の折り畳み機構を簡単なものにできるものである。
支持脚１９を着脱可能に設けた発明は、支持脚を折り畳む機構を簡単なものにできるものである。
【図面の簡単な説明】
【図１】本発明の一実施例の枠体等の平面図
【図２】本発明の一実施例の枠体等の側面図
【図３】本発明の一実施例の枠体の折り畳んだ状態の側面図
【図４】枠体を着脱可能に形成した発明の一実施例の要部の平面図
【図５】枠体を着脱可能に形成した発明の一実施例の要部の側面図
【図６】支持脚を着脱可能に設けた発明の一実施例の要部の側面図
【図７】従来例の斜視図
【符号の説明】
１  枠体
３  内端部
４  枠用軸
１９  支持脚
２０  脚用軸
３４  便器
３５  排出口
３６  汚物容器
３７  口部
４２  床状部分
【図１】
0003614200.tif 000002
【図２】
0003614200.tif 000003
【図３】
0003614200.tif 000004
【図４】
0003614200.tif 000005
【図５】
0003614200.tif 000006
【図６】
0003614200.tif 000007
【図７】
0003614200.tif 000008